【手続補正書】
【提出日】平成23年7月25日(2011.7.25)
【手続補正１】
【補正対象書類名】特許請求の範囲
【補正対象項目名】全文
【補正方法】変更
【補正の内容】
【特許請求の範囲】
【請求項１】
継手のための駆動ナットであって、
中心軸に中心を合わされ、導管把持部材の少なくとも後方部分を受容するように構成される内側ソケットであって、該ソケットは、引き上げの間に該導管把持部材に係合するように配置される半径方向駆動表面と、該駆動表面の半径方向外向きの第１の先細縦方向表面と、該駆動表面から該第１の先細縦方向表面まで延在する第２の先細縦方向表面とによって画定される、ソケットを備え、該第２の先細縦方向表面は、該駆動表面および該第１の先細縦方向表面の両方に対して角度を成している、駆動ナット。
【請求項２】
前記第２の先細縦方向表面は、前記中心軸に対して約３０°と約６０°との間の角度で延在する、請求項１に記載の駆動ナット。
【請求項３】
前記第２の先細縦方向表面は、前記中心軸に対して約４５°の角度で延在する、請求項１に記載の駆動ナット。
【請求項４】
前記第１の先細縦方向表面は、前記中心軸に対して約２°と約２５°との間の角度で延在する、請求項１に記載の駆動ナット。
【請求項５】
前記第１の先細縦方向表面は、前記中心軸に対して約１０°の角度で延在する、請求項１に記載の駆動ナット。
【請求項６】
前記第１の先細縦方向表面の半径方向外向きの第３の先細縦方向表面をさらに備え、該第３の先細縦方向表面は、該第１の先細縦方向表面に対して角度を成している、請求項１に記載の駆動ナット。
【請求項７】
前記第３の先細縦方向表面は、前記中心軸に対して約２°と約２５°との間の角度で延在する、請求項６に記載の駆動ナット。
【請求項８】
前記第３の先細縦方向表面は、前記中心軸に対して約４°の角度で延在する、請求項６に記載の駆動ナット。
【請求項９】
前記第１と第３の先細縦方向表面との間において半径方向に延在する段付き壁表面をさらに備え、該段付き壁表面は、該第１および第３の先細縦方向表面に対して角度を成している、請求項６に記載の駆動ナット。
【請求項１０】
前記段付き壁表面は、先細である、請求項９に記載の駆動ナット。
【請求項１１】
前記段付き壁表面は、前記中心軸に対して約３０°と約８８°との間の角度で延在する、請求項９に記載の駆動ナット。
【請求項１２】
前記段付き壁表面は、前記中心軸に対して約７０°の角度で延在する、請求項９に記載の駆動ナット。
【請求項１３】
雄ねじ式継手本体との組み立てのための雌ねじ式部分をさらに備える、請求項１に記載の駆動ナット。
【請求項１４】
管継手であって、
第１のフェルールを含む管把持装置と、
管端部を受容するための管端部ソケットを有する継手本体と、
該継手本体との組み立てのための駆動ナットであって、該駆動ナットは、該第１のフェルールを受容するように寸法設定される陥凹部分を備え、該陥凹部分は、該継手本体上での引き上げの間に、該第１のフェルールを該管端部との係合に駆動するための半径方向駆動表面と、該管継手が手できつく締めた状態にあるときに、該第１のフェルールの半径方向外側表面から半径方向に離間している第１の先細縦方向表面と、該駆動表面と該第１の先細縦方向表面との間の第２の先細縦方向表面であって、該駆動表面および該第１の先細縦方向表面の両方に対して角度を成している第２の先細縦方向表面とを含む、駆動ナットと
を備え、
該駆動ナットが該継手本体によって引き上げられるときに、該第１のフェルールは、半径方向に変位させられて該第１の先細縦方向表面と接触する、管継手。
【請求項１５】
前記第２の先細縦方向表面は、前記駆動表面から前記第１の先細縦方向表面まで延在する、請求項１４に記載の管継手。
【請求項１６】
前記管把持装置は、第２のフェルールをさらに含み、該第２のフェルールは、前記継手本体のカム口の中に少なくとも部分的に受容される、請求項１４に記載の管継手。
【請求項１７】
前記駆動ナットは、引き上げ前に前記管継手が手できつく締めた状態であるときに、前記第１のフェルールの半径方向外側表面から半径方向に離間している第３の先細縦方向表面をさらに備え、該駆動ナットが前記継手本体とともに引き上げられるときに、前記第２のフェルールは、半径方向に変位させられて該第３の先細縦方向表面と接触する、請求項１６に記載の管継手。
【請求項１８】
前記第２と第３の先細縦方向表面とは、非連続である、請求項１７に記載の管継手。
【請求項１９】
前記駆動ナットは、前記第１と第３の先細縦方向表面との間において半径方向に延在する段付き壁表面をさらに備え、該段付き壁表面は、該第１および第３の先細縦方向表面に対して角度を成している、請求項１７に記載の管継手。
【請求項２０】
前記段付き壁表面は、先細である、請求項１９に記載の管継手。
【請求項２１】
前記第１のフェルールは、引き上げ前に前記管継手が手できつく締めた状態であるときに、前記第２の先細縦方向表面に係合する、請求項１４に記載の管継手。
【請求項２２】
管継手を管端部と組み立てる方法であって、該管継手は、継手本体と、駆動ナットと、フェルールとを備え、
該方法は、
該管端部を該継手本体の管端部ソケットの中に挿入することと、
該フェルールを該駆動ナットの陥凹部分の中に配置することと、
該駆動ナットを該継手本体と手できつく締めた位置まで組み立てることであって、それにより、該フェルールが、該駆動ナットの半径方向駆動表面に係合し、かつ、該駆動表面と第１の先細縦方向表面との間に配置される第２の先細縦方向表面の少なくとも一部によって、該駆動ナットの該第１の先細縦方向表面から半径方向に離間させられる、ことと、
該継手本体上で該駆動ナットを引き上げることであって、それにより、該フェルールが、半径方向に変位させられて該第１の先細縦方向表面と接触する、ことと
を含む、方法。
【請求項２３】
前記駆動ナットと前記継手本体とを手できつく締めた状態まで組み立てることは、前記フェルールを前記第２の先細縦方向表面と係合させて、該フェルールを該駆動ナットの前記陥凹部分内で中心に置くことを含む、請求項２２に記載の方法。
【請求項２４】
継手のための駆動ナット（９１８）であって、
継手の組み立て中に中心軸に中心を合わされ、導管把持フェルールの少なくとも後方部分を受容する内側ソケット（９３２、９３４、９３８）であって、該ソケットは、該継手の引き上げのために該導管把持フェルール（９３６）の後端部に係合する半径方向先細駆動表面（９３２）と、該駆動表面（９３２）の半径方向外向きの第１の縦方向表面（９３４）と、該中心軸（Ｘ）に対して半径方向に先細であり該駆動表面（９３２）から延在する第２の縦方向表面（９３８）とを備える、内側ソケットを備え、該半径方向に先細の第２の縦方向表面（９３８）は、該駆動表面（９３２）および該第１の縦方向表面（９３４）の両方に対して角度を成しており、該半径方向に先細の第２の縦方向表面（９３８）は、前記中心軸に対して約３０°と約６０°との間の角度（θ）で延在しており、そして該半径方向に先細の駆動表面（９３２）は、約２°と約２５°との間の角度（α）で延在しており、該半径方向に先細である第２の縦方向表面（９３８）は、該継手の引上げ前に手できつく締めた位置に組み立てる間に該導管把持フェルール（９３６）と接触する際に、該導管把持フェルール（９３６）の中心合わせを補助する、駆動ナット。
【請求項２５】
前記第１の縦方向表面（９３４）は、半径方向に先細である、請求項２４に記載の駆動ナット。
【請求項２６】
前記第１の縦方向表面が、約０°と約４５°との間の角度で半径方向に先細である、請求項２５に記載の駆動ナット。
【請求項２７】
前記第１の縦方向表面が、前記中心軸に対して約１０°の角度（β）で軸方向に延在する、請求項２４に記載の駆動ナット。
【請求項２８】
前記半径方向に先細の第２の縦方向表面（９３８）が、約４５°の角度で延在する、請求項２４に記載の駆動ナット。
【請求項２９】
継手組み立て体であって、
継手本体（９０６）、前部フェルール（９４２）、後部フェルール（９３６）、および駆動ナット（９１８）を備え、
該駆動ナット（９１８）は、
該継手組み立て体の中心軸に中心を合わせられた内部ソケット（９３２、９３４、９３８）であって、該内部ソケットは、継手の組み立て中に該後部フェルールの少なくとも後方部分を受容し、該ソケットは、該継手の引上げのために該後部フェルール（９３６）の後端部を係合する、半径方向に先細である駆動表面（９３２）を備える、内部ソケット；
該駆動表面（９３２）の半径方向外側の第１の縦方向表面（９３４）、および該半径方向に先細である駆動表面（９３２）から延びる、該中心軸（Ｘ）に対して半径方向に先細である第２の縦方向表面（９３８）であって、該半径方向に先細の第２の縦方向表面（９３８）は、該半径方向に先細である駆動表面（９３２）と該第１の縦方向表面（９３４）との両方に対して角度を成しており、該半径方向に先細の第２の縦方向表面（９３８）は、約３０°と約６０°との間の角度（θ）で延在しており、そして該半径方向に先細の駆動表面（９３２）は、約２°と約２５°との間の角度（α）で延在しており、該半径方向に先細の第２の縦方向表面（９３８）は、該継手の引上げ前に手できつく締めた位置に組み立てる間に該後部フェルールとの接触の際に該後部フェルールを中心合わせすることを補助する、第１の縦向表面および第２の縦方向表面、
を備える、継手組み立て体。
【請求項３０】
前記半径方向に先細である第２の縦方向表面が、約４５°の角度で延在している、請求項２９に記載の継手組み立て体。
【請求項３１】
前記後部フェルールが外側後方部分を備え、該外側後方部分は、該継手組み立て体の引き上げの間に半径方向外向きに変位させられる、請求項３０に記載の継手組み立て体。
【請求項３２】
半径方向に先細である第３の縦方向表面（９４０）を備え、前記半径方向に先細である第２の縦方向表面（９３８）は、前記半径方向に先細である駆動表面（９３２）および該半径方向に先細である第３の縦方向表面（９４０）と連続している、請求項３１に記載の継手組み立て体。
【請求項３３】
前記半径方向に先細である第３の縦方向表面（９４０）が、約２°と約２５°との間の角度（λ）で延在しており、前記前部フェルール（９４２）の外側後方部分は、引き上げ中に、半径方向外向きに変位させられて該半径方向に先細である第３の縦方向表面（９４０）と接触し、組み立て解除中に前記駆動ナット（９１８）と該前部フェルール（９４２）との分離を補助する、請求項３２に記載の継手組み立て体。
【手続補正２】
【補正対象書類名】明細書
【補正対象項目名】発明の名称
【補正方法】変更
【補正の内容】
【発明の名称】中心合わせを伴う管またはパイプ継手のための先細ナット
【手続補正３】
【補正対象書類名】明細書
【補正対象項目名】０００４
【補正方法】変更
【補正の内容】
【０００４】
本発明は、例えば、以下を提供する：
（項目１）
継手のための駆動ナットであって、
中心軸に中心を合わされ、導管把持部材の少なくとも後方部分を受容するように構成される内側ソケットであって、該ソケットは、引き上げの間に該導管把持部材に係合するように配置される半径方向駆動表面と、該駆動表面の半径方向外向きの第１の先細縦方向表面と、該駆動表面から該第１の先細縦方向表面まで延在する第２の先細縦方向表面とによって画定される、ソケットを備え、該第２の先細縦方向表面は、該駆動表面および該第１の先細縦方向表面の両方に対して角度を成している、駆動ナット。
（項目２）
上記第２の先細縦方向表面は、上記中心軸に対して約３０°と約６０°との間の角度で延在する、項目１に記載の駆動ナット。
（項目３）
上記第２の先細縦方向表面は、上記中心軸に対して約４５°の角度で延在する、項目１に記載の駆動ナット。
（項目４）
上記第１の先細縦方向表面は、上記中心軸に対して約２°と約２５°との間の角度で延在する、項目１に記載の駆動ナット。
（項目５）
上記第１の先細縦方向表面は、上記中心軸に対して約１０°の角度で延在する、項目１に記載の駆動ナット。
（項目６）
上記第１の先細縦方向表面の半径方向外向きの第３の先細縦方向表面をさらに備え、該第３の先細縦方向表面は、該第１の先細縦方向表面に対して角度を成している、項目１に記載の駆動ナット。
（項目７）
上記第３の先細縦方向表面は、上記中心軸に対して約２°と約２５°との間の角度で延在する、項目６に記載の駆動ナット。
（項目８）
上記第３の先細縦方向表面は、上記中心軸に対して約４°の角度で延在する、項目６に記載の駆動ナット。
（項目９）
上記第１と第３の先細縦方向表面との間において半径方向に延在する段付き壁表面をさらに備え、該段付き壁表面は、該第１および第３の先細縦方向表面に対して角度を成している、項目６に記載の駆動ナット。
（項目１０）
上記段付き壁表面は、先細である、項目９に記載の駆動ナット。
（項目１１）
上記段付き壁表面は、上記中心軸に対して約３０°と約８８°との間の角度で延在する、項目９に記載の駆動ナット。
（項目１２）
上記段付き壁表面は、上記中心軸に対して約７０°の角度で延在する、項目９に記載の駆動ナット。
（項目１３）
雄ねじ式継手本体との組み立てのための雌ねじ式部分をさらに備える、項目１に記載の駆動ナット。
（項目１４）
管継手であって、
第１のフェルールを含む管把持装置と、
管端部を受容するための管端部ソケットを有する継手本体と、
該継手本体との組み立てのための駆動ナットであって、該駆動ナットは、該第１のフェルールを受容するように寸法設定される陥凹部分を備え、該陥凹部分は、該継手本体上での引き上げの間に、該第１のフェルールを該管端部との係合に駆動するための半径方向駆動表面と、該管継手が手できつく締めた状態にあるときに、該第１のフェルールの半径方向外側表面から半径方向に離間している第１の先細縦方向表面と、該駆動表面と該第１の先細縦方向表面との間の第２の先細縦方向表面であって、該駆動表面および該第１の先細縦方向表面の両方に対して角度を成している第２の先細縦方向表面とを含む、駆動ナットと
を備え、
該駆動ナットが該継手本体によって引き上げられるときに、該第１のフェルールは、半径方向に変位させられて該第１の先細縦方向表面と接触する、管継手。
（項目１５）
上記第２の先細縦方向表面は、上記駆動表面から上記第１の先細縦方向表面まで延在する、項目１４に記載の管継手。
（項目１６）
上記管把持装置は、第２のフェルールをさらに含み、該第２のフェルールは、上記継手本体のカム口の中に少なくとも部分的に受容される、項目１４に記載の管継手。
（項目１７）
上記駆動ナットは、引き上げ前に上記管継手が手できつく締めた状態であるときに、上記第１のフェルールの半径方向外側表面から半径方向に離間している第３の先細縦方向表面をさらに備え、該駆動ナットが上記継手本体とともに引き上げられるときに、上記第２のフェルールは、半径方向に変位させられて該第３の先細縦方向表面と接触する、項目１６に記載の管継手。
（項目１８）
上記第２と第３の先細縦方向表面とは、非連続である、項目１７に記載の管継手。
（項目１９）
上記駆動ナットは、上記第１と第３の先細縦方向表面との間において半径方向に延在する段付き壁表面をさらに備え、該段付き壁表面は、該第１および第３の先細縦方向表面に対して角度を成している、項目１７に記載の管継手。
（項目２０）
上記段付き壁表面は、先細である、項目１９に記載の管継手。
（項目２１）
上記第１のフェルールは、引き上げ前に上記管継手が手できつく締めた状態であるときに、上記第２の先細縦方向表面に係合する、項目１４に記載の管継手。
（項目２２）
管継手を管端部と組み立てる方法であって、該管継手は、継手本体と、駆動ナットと、フェルールとを備え、
該方法は、
該管端部を該継手本体の管端部ソケットの中に挿入することと、
該フェルールを該駆動ナットの陥凹部分の中に配置することと、
該駆動ナットを該継手本体と手できつく締めた位置まで組み立てることであって、それにより、該フェルールが、該駆動ナットの半径方向駆動表面に係合し、かつ、該駆動表面と第１の先細縦方向表面との間に配置される第２の先細縦方向表面の少なくとも一部によって、該駆動ナットの該第１の先細縦方向表面から半径方向に離間させられる、ことと、
該継手本体上で該駆動ナットを引き上げることであって、それにより、該フェルールが、半径方向に変位させられて該第１の先細縦方向表面と接触する、ことと
を含む、方法。
（項目２３）
上記駆動ナットと上記継手本体とを手できつく締めた状態まで組み立てることは、上記フェルールを上記第２の先細縦方向表面と係合させて、該フェルールを該駆動ナットの上記陥凹部分内で中心に置くことを含む、項目２２に記載の方法。
本明細書は、概して継手組み立て体に関し、この継手組み立て体は、例えば、継手の組み込み中に継手構成要素が軸方向に圧縮される結果として、継手構成要素が半径方向外向きに移動することに起因して、引き上げの間に嵌合構成要素が互いに接触する場合に、継手の分解の間、２つ以上の継手構成要素を分離することを支援するように構成される。本願明細書で使用する場合、継手組み立て体の継手構成要素には、例えば結合具本体および弁本体等の本体、駆動ナット、例えばフェルール、管系、または他の導管等の管把持部材、および、例えば管把持部材の組み込み工具またはプレスエージング工具等の継手組み込み工具等が挙げられるが、これに限定されるものではない。